(57)【要約】  一例における装置は、加入者の少なくとも１つの端末に動作可能に結合された信頼された宣伝サーバと、少なくとも１つの端末の少なくとも１つのプロファイルをそれぞれ有する信頼されたデータベースとを有し、信頼された宣伝サーバが、加入者の識別を明らかにすることなく、端末のプロファイルに基づいて、１つまたは複数の広告を端末に送信することを行う。信頼された宣伝サーバは、信頼された役割および宣伝の役割を有する。信頼された役割は、少なくとも１つのプロファイルを安全に維持することであり、宣伝の役割は、特定の広告主または宣伝ブローカーの対象の統計的データを受信すること、信頼されたデータベースにおけるそれぞれのプロファイルに基づいて広告を少なくとも１つの端末に一致させること、信頼されたデータベースにおけるそれぞれのプロファイルに基づいて、選択された広告を少なくとも１つの端末に配信することである。
2012504272.tif 000002
【特許請求の範囲】
【請求項１】
少なくとも１つの端末に動作可能に結合された信頼された宣伝サーバと、
少なくとも１つの端末の少なくとも１つのプロファイルをそれぞれ有する信頼されたデータベースと
を含み、信頼された宣伝サーバが、端末のプロファイルに基づいて、少なくとも１つの広告を端末に送信することを行う、装置。
【請求項２】
装置が、端末に関連付けられた呼について、端末への可能な広告の送信のために、端末に関する通信を、信頼された宣伝サーバに送信すべきであるかを決定する、適用可能なｉＦＣにおいて信頼されたアプリケーションサーバ（ＴＡＳ）を含むＩＭＳセッション制御部、および適用可能なＩＮトリガ加入データにおいてＴＡＳをサービス制御機能（ＳＣＦ）として含むサービス交換機能部（ＳＳＦ）のうちの一方をさらに含む、請求項１に記載の装置。
【請求項３】
ＩＭＳセッション制御部が信頼された宣伝サーバに動作可能に結合されており、呼がＩＭＳ端末に関連付けられており、ＩＭＳ端末が
地上通信線の電話であって、信頼された宣伝サーバが少なくとも１つの選択された広告をＩＭＳセッション制御部に提供し、ＩＭＳセッション制御部がメディアリソース機能およびＰＳＴＮによって地上通信線の電話に動作可能に結合されており、ＩＭＳセッション制御部が少なくとも１つの選択された広告を地上通信線の電話に送信する、地上通信線の電話と、
携帯電話であって、信頼された宣伝サーバが、ＳＭＳＣサービスセンターおよびＰＬＭＮを介して少なくとも１つの選択された広告を携帯電話に提供する、携帯電話と、
個人用データ補助装置であって、信頼された宣伝サーバがＩＭＳネットワークによって個人用データ補助装置に動作可能に結合されている、個人用データ補助装置と
のうちの１つである、請求項１に記載の装置。
【請求項４】
ＩＭＳセッション制御部が信頼された宣伝サーバに動作可能に結合されており、呼がラップトップコンピュータに関連付けられており、信頼された宣伝サーバがインターネットによってラップトップコンピュータに動作可能に結合されている、請求項１に記載の装置。
【請求項５】
サービス交換機能部が信頼された宣伝サーバに動作可能に結合されており、呼が非ＩＭＳ端末に関連付けられており、信頼された宣伝サーバが少なくとも１つの選択された広告をサービス交換機能部に提供し、サービス交換機能部がＰＳＴＮによって非ＩＭＳ端末に動作可能に結合されており、信頼された宣伝サーバが、知能の高い周辺／リソース機能を使用して音声の告知を介して少なくとも１つの選択された広告を非ＩＭＳ端末に送信する、請求項１に記載の装置。
【請求項６】
サービス交換機能部が信頼された宣伝サーバに動作可能に結合されており、呼が非ＩＭＳ端末に関連付けられており、非ＩＭＳ端末が携帯電話であり、信頼された宣伝サーバがＳＭＳＣプロキシおよびＰＬＭＮを介して少なくとも１つの選択された広告を携帯電話に提供する、請求項１に記載の装置。
【請求項７】
プロファイルが、宣伝が受信され得る曜日、宣伝が受信され得る時刻または時間帯、受信され得る広告のタイプまたはカテゴリ、および受信され得る広告の量のうちの少なくとも１つを含む、請求項１に記載の装置。
【請求項８】
信頼された宣伝サーバが、信頼された役割および宣伝の役割を有し、信頼された役割が、少なくとも１つの端末の少なくとも１つのプロファイルを安全に維持することであり、宣伝の役割が、特定の広告主または宣伝ブローカーのターゲットの統計的データを受信すること、信頼されたデータベースにおけるそれぞれのプロファイルに基づいて広告を少なくとも１つの端末と一致させること、および信頼されたデータベースにおけるそれぞれのプロファイルに基づいて、選択された広告を少なくとも１つの端末に配信することである、請求項１に記載の装置。
【請求項９】
ＩＭＳセッション制御部およびサービス交換機能部のうちの一方によって端末に関連付けられた発信または着信呼を受信するステップと、
端末の識別をＩＭＳセッション制御部およびサービス交換機能部のうちの一方から信頼された宣伝サーバに伝えるステップと、
信頼された宣伝サーバによって、端末のプロファイルをチェックし、信頼されたデータベースから抽出するステップと、
信頼された宣伝サーバによって、プロファイルに基づいて宣伝を選択するステップと、
広告を端末に送信するステップと
を含む、方法。
【請求項１０】
信頼された宣伝サーバが信頼された役割および宣伝の役割を有し、信頼された役割が、少なくとも１つの端末の少なくとも１つのプロファイルを安全に維持することであり、宣伝の役割が、特定の広告主または宣伝ブローカーの対象の統計的データを受信すること、信頼されたデータベースにおけるそれぞれのプロファイルに基づいて広告を少なくとも１つの端末に一致させること、および信頼されたデータベースにおけるそれぞれのプロファイルに基づいて、選択された広告を少なくとも１つの端末に配信することである、請求項９に記載の装置。
【発明の詳細な説明】
【技術分野】
【０００１】
本発明は、一般にｅコマースに関し、より詳細には、携帯電話などの携帯端末における宣伝に関する。
【背景技術】
【０００２】
宣伝は、通常、特定のブランドの製品またはサービスをより多く購入し、または消費するよう見込み客に勧めようとする通信の一形態である。多くの広告は、「ブランドイメージ」および「ブランドロイヤリティ」の作成および強化を介してこうした製品およびサービスの消費の増加を生み出すように設計されている。広告のタイプの一部として、以下のものがある：イメージ宣伝は、広告主がビジネスの様子、つまり何に関するか、または何を信じているかを伝えることを望んでいる場合のものである。企業宣伝は、例えばサービスの中継は行うが、行動の呼び掛けを直接には含まない。ニーズ／利益宣伝は、消費者が有し得るニーズを識別し、その広告主がそのニーズに対する答えを有していることを消費者に知らせる。販売宣伝（または製品）は、製品価格または割引に基づいて行動を呼び掛ける。
【０００３】
インターネットを介した今日のｅコマース（電子商取引）は、ビジネスを行う重要な一部になっている。しかし、いくつかの問題がある。例えば、インターネットマーケティングは、従来の媒体ではなく、より新しい技術を使用することを顧客に求める。低速インターネット接続は、別の障害である。会社およびベンダーが大きいまたは非常に複雑なＷｅｂサイトを構築している場合、ダイヤルアップ接続またはモバイル機器を介してインターネットに接続した個人は、コンテンツ配信におけるかなりの遅延を経験する可能性がある。しかし、ユーザが高速インターネット接続を有する場合でさえ、ベンダーにとっての問題がさらにいくつか存在する。
【０００４】
ターゲット広告の従来の方法は、クラスタ分析によって消費者のグループをセグメント化することができ、そのため、任意の個人の識別を要求する必要がない。しかし、特定の携帯ハンドセットにおけるターゲット広告の掲載は、その特定の個人に関する知識を必要とするため、新しい手法が必要である。
【発明の概要】
【発明が解決しようとする課題】
【０００５】
当面の技術的な問題は、こうしたモバイル加入者の識別が非公開のままであることを保証しながら、モバイル加入者に対するターゲット広告を可能にすることである。
【課題を解決するための手段】
【０００６】
本方法および装置による一実施形態は、少なくとも１つの端末に動作可能に結合された信頼された宣伝サーバと、少なくとも１つの端末の少なくとも１つのプロファイルをそれぞれ有する信頼されたデータベースとを含み、信頼された宣伝サーバが端末のプロファイルに基づいて、１つまたは複数の広告を端末に送信することを行う、装置である。
【０００７】
本方法および装置による別の実施形態は、加入者の少なくとも１つの端末に動作可能に結合された信頼された宣伝サーバと、少なくとも１つの端末の少なくとも１つのプロファイルをそれぞれ有する信頼されたデータベースとを含み、信頼された宣伝サーバが、加入者の識別を明らかにすることなく、端末のプロファイルに基づいて、１つまたは複数の広告を端末に送信することを行う、装置である。
【０００８】
本方法および装置による別の実施形態は、適用可能なｉＦＣにおいて信頼されたアプリケーションサーバ（ＴＡＳ）を含むＩＭＳセッション制御部、および適用可能なＩＮトリガ加入データにおいてＴＡＳをサービス制御機能（ＳＣＦ）として含むサービス交換機能部（ＳＳＦ）のうちの一方によって、端末に関連付けられた発信または着信呼を受信するステップと、端末の識別をＩＭＳセッション制御部およびサービス交換機能部のうちの一方から信頼された宣伝サーバに伝えるステップと、信頼された宣伝サーバによって、端末のプロファイルをチェックし、信頼されたデータベースから抽出するステップと、信頼された宣伝サーバによって、プロファイルに基づいて宣伝を選択するステップと、端末に宣伝を送信するステップとを含み得る方法である。
【０００９】
本方法および装置の実施形態の特徴は、添付の特許請求の範囲に詳細に記載されている。これらの実施形態は、以下の説明を添付の図面と併せ読めば最適に理解できよう。いくつかの図面において、類似の参照番号は、類似の要素を特定する。
【図面の簡単な説明】
【００１０】
【図１】ＩＭＳ加入者のための本方法および装置による一実施形態を示す図である。
【図２】非ＩＭＳ加入者のための本方法および装置による一実施形態を示す図である。
【図３】本方法および装置による別の実施形態を示す図である。
【図４】様々な通信システムで使用するための本方法および装置による一実施形態を示す図である。
【図５】様々な通信システムで使用するための本方法および装置による別の実施形態を示す図である。
【図６】本方法および装置による方法のフロー図を示す図である。
【発明を実施するための形態】
【００１１】
ターゲット広告の表示装置としての携帯ハンドセットの出現は、多くの利害関係者の興味をそそっている。例えば、従来の携帯電話事業者は、その顧客を一般的な広告の対象にすることは気が進まなかったが、特にモバイル加入者がこうした宣伝のオプトインを選択したとき、ターゲット広告を推進することにはかなりオープンである。Ｇｏｏｇｌｅなどインターネットベースの会社は、オープンハンドセットアライアンスを、携帯ハンドセットにおける広告の掲載に参加するための手段（数ある中でも）として開始した。そして当然、広告主は、携帯ハンドセットを、可能性に富むテリトリーと見なす。
【００１２】
しかし、モバイル加入者は、そのプライバシをしきりに守ろうとしている。例えば、携帯番号の名簿は存在せず、携帯の顧客によって、かなりの抵抗を受けている。携帯電話の個人性に伴い、識別の盗用、インターネットクッキー、ＧＰＳ追跡サービス、ストーキングなどに対する一般集団の敏感さのため、広告主およびそのパートナーは、慎重に事を運ばざるを得なかった。ターゲット広告対バナー広告の圧倒的な効果を想定すると、そのプライバシの問題を軽減することによって、ターゲット広告をモバイル加入者が許容できるようにする明確な動機がある。本方法および装置の特徴は、様々な通信システムによって使用され得る。
【００１３】
一般に、通信システムは、回路交換通信システム、ＶｏＩＰ通信システム、映像通信システム、または他の任意のタイプの通信システムとすることができる。本明細書で使用する場合、端末は、地上通信線の電話、携帯電話、ＶｏＩＰ電話、個人用データ補助装置、パーソナルコンピュータなどを指し得る。
【００１４】
電話網において、発呼者は、様々な電話交換での切り替えによって、話したい人に接続される。切り替えは、２人のユーザ間の電気接続を形成し、これらの切り替えの設定は、発呼者が番号をダイヤルすると、電子的に決定される。
【００１５】
ほとんどの住宅における固定線の電話は、アナログである。短距離呼は、端末間でアナログ信号として処理され得るが、次第に電話サービスプロバイダは、送信用に信号をデジタルにトランスペアレントに変換した後、受信用に信号をアナログに戻すようになってきた。この利点は、デジタル化された音声データが、インターネットのデータと並列して移動することができ、（ノイズによって不可避的に影響を受けるアナログ信号とは対照的に）長距離通信で完全に再生できることである。
【００１６】
Ｖｏｉｃｅ  ｏｖｅｒ  Ｉｎｔｅｒｎｅｔ  Ｐｒｏｔｏｃｏｌ（ＶｏＩＰ）は、インターネットまたはサーバを使用する他のパケット交換ネットワークを介した音声の送信のために最適化されるプロトコルである。インターネットの構造全体は、ほぼクライアント−サーバモデルに基づく。サーバは、クライアント−サーバアーキテクチャの一部として接続されたクライアントのサービスを実行するアプリケーションまたは装置である。
【００１７】
ＶｏＩＰシステムは、通常、インターネットプロトコルを介して、音声データ圧縮技術を使用してデータレートが低減され、データパケットストリームにカプセル化されたデジタル音声として電話信号を運ぶ。セッションイニシエーションプロトコル（ＳＩＰ）は、シグナリングプロトコルであり、インターネットを介した音声および映像の呼などのマルチメディア通信セッションを設定し、ティアダウンするために広範に使用される。他の実行可能なアプリケーション例には、ＴＶ会議、ストリーミングマルチメディア配布、インスタントメッセージング、プレゼンス情報、およびオンラインゲームなどがある。
【００１８】
本方法および装置によれば、実際に、オプトインを選択した携帯ユーザごとの個人情報を含む信頼された宣伝サーバが提供される。この信頼されたサーバにおける情報のソースは、発呼パターン、ネットワークアドレス帳入力、ＩＭＳアカウントに請求された購入など、いくつかの機構を介して取得することができる。これらのデータマイニングの取り組みの結果は、各モバイル加入者の包括的なプロファイルであり得る。これは、広告主の夢であり得るが、消費者の悪夢であり得る。したがって、このプロファイルは、安全に保持されなければならない。
【００１９】
図１は、ＩＭＳ加入者のための本方法および装置による一実施形態を示す。この実施形態において、携帯端末に関連付けられた発信または着信呼１００は、適用可能なｉＦＣにおいて信頼されたアプリケーションサーバ（ＴＡＳ）を含むＩＭＳセッション制御部１０１によって受信される（パス１）。ＩＭＳセッション制御部１０１は、信頼された宣伝サーバ１０２と通信し（パス２）、信頼された宣伝サーバ１０２は次いで、携帯端末のプロファイルをチェックし、信頼されたデータベース１０３から抽出する（パス３）。信頼された宣伝サーバ１０２は、次いで１つまたは複数の選択された広告をＩＭＳセッション制御部１０１に提供することができる（パス４）。ＩＭＳセッション制御部１０１は、次いで選択された広告を携帯端末に送信することができる（パス５）。
【００２０】
図２は、非ＩＭＳ加入者のための本方法および装置による一実施形態を示す。この実施形態において、携帯端末に関連付けられた発信または着信呼２００は、適用可能なＩＮトリガ加入データにおいてＴＡＳをサービス制御機能（ＳＣＦ）として含むサービス交換機能部２０１（ＳＳＦ）によって受信される（パス１）。サービス交換機能部２０１は、信頼された宣伝サーバ２０２と通信し（パス２）、次いでこれは、携帯端末のプロファイルをチェックし、信頼されたデータベース２０３から抽出する（パス３）。信頼された宣伝サーバ２０２は、適切な広告と共にＳＭＳをユーザに送信し、パス４を介してＳＳＦ２０１との呼を続行する、またはユーザへの一時的な接続を確立して、告知を介して適切な広告を送信し、次いで呼を続行することができる。
【００２１】
図３は、本方法および装置による別の実施形態を示す。加入者のタイプにかかわらず、このより一般化された実施形態において、信頼された宣伝サーバ３０２に関する機能は同じである。信頼された宣伝サーバ３０２との最初の通信（パス２）から、信頼された宣伝サーバ３０２は、それぞれの携帯端末のプロファイルをチェックし、信頼されたデータベース３０３から抽出する（パス３）。信頼された宣伝サーバ３０２は、次いで１つまたは複数の選択された広告をユーザに提供し、次いでパス４を介して呼を続行することができる。選択された広告を配信するための選択肢がいくつかある（図４および図５の説明を参照）。
【００２２】
したがって、呼の設定前に、信頼された宣伝サーバは、ｉＦＣ（最初のフィルタ基準）またはＳＳＦ（サービス交換機能部）によって呼び出され、この加入者の宣伝プロファイルについて信頼されたデータベースをチェックして、加入者の統計学的プロファイル、および任意の個人設定、能力、および制限を決定する。これは次いで、この加入者の特定のプロファイルを満たす任意の広告をチェックし、表示すべき必要な広告および使用すべき最適な方法を選択する（ユーザ定義ルールに基づいて）。
【００２３】
したがって信頼された宣伝サーバの信頼された役割（ｔｒｕｓｔｅｄ  ｒｏｌｅ）は、携帯ユーザのプロファイルを安全に維持することである。信頼された宣伝サーバの宣伝の役割は、特定の広告主または宣伝ブローカーのターゲットの統計的データを受信すること、信頼されたアプリケーションサーバデータベースにおける適切な携帯ユーザと一致させること、およびこうした広告を、ユーザの選好の対象となる一致した携帯ユーザに配信することである（例えば、１日当たり３つ以下の広告など）。さらに、広告の最も最適な形を表示するために、モバイル加入者のハンドセットの特定の特徴を利用することができる（例えば、映像対応など）。これらの特徴は、携帯ユーザに限定されないことを理解されたい。
【００２４】
したがって、本方法および装置の実施形態は、非常に細かいターゲット広告（個々のレベルでの最適な提示）を可能にし、一方で、広告主は、所与の広告を受信した特定のユーザに関与しない。しかし、従来のクラスタ分析方法を、１つのこうした広告、複数の広告などを受信した顧客から応答レートなどのメトリックスを生成するために適用することができる。
【００２５】
図４は、様々な通信システムで使用するための本方法および装置による一実施形態を示す。この実施形態において、ＩＭＳ加入者の端末に関連付けられた発信または着信呼４００は、ｉＦＣを有するＩＭＳセッション制御部４０１によって受信される（パス１）。ＩＭＳセッション制御部４０１は、信頼された宣伝サーバ４０２と通信し（パス２）、これは次いで、端末のプロファイルをチェックし、信頼されたデータベース４０３から抽出する（パス３）。信頼された宣伝サーバ４０２は、次いで１つまたは複数の選択された広告をユーザに提供し（ＩＭＳセッション制御部４０１または直接パス５を介して）、次いでパス４を介して呼を続行することができる。
【００２６】
例えば、端末は、地上通信線の電話４１０とすることができる。ＩＭＳセッション制御部４０１は、メディアリソース機能４０５およびＰＳＴＮ４０７を介して地上通信線の電話４１０に動作可能に結合され得る。端末は、携帯電話４１１とすることもできる。この場合、信頼された宣伝サーバ４０２は、ＳＭＳＣ４０６およびＰＬＭＮ４０８を介して携帯電話４１１に動作可能に結合され得る。端末はさらに、個人データ補助装置（ＰＤＡ）４１２とすることができる。この場合、信頼された宣伝サーバ４０２は、ＩＭＳネットワーク４０９を介してＰＤＡ４１２に動作可能に結合され得る。端末は、ラップトップコンピュータ４１３とすることもできる。この場合、信頼された宣伝サーバ４０２は、インターネット４１４を介してラップトップコンピュータ４１３に動作可能に結合することができ、選択された広告は、信頼された宣伝サーバ４０２から直接送信される。
【００２７】
図５は、様々な通信システムで使用するための本方法および装置による別の実施形態を示す。この実施形態において、非ＩＭＳ加入者の端末に関連付けられた発信または着信呼５００は、サービス交換機能部５０１によって受信される（パス１）。サービス交換機能部５０１は、信頼された宣伝サーバ５０２と通信し（パス２）、次いでこれは、端末のプロファイルをチェックし、信頼されたデータベース５０３から抽出する（パス３）。端末の能力に応じて、信頼された宣伝サーバ５０２は、適切な方法を使用して、１つまたは複数の選択された広告を提供する。端末は、地上通信線の電話５１０とすることができ、この場合、サービス交換機能部５０１は、ＰＳＴＮ５０７を介して地上通信線の電話５１０に動作可能に結合され得る。あるいは、端末は、携帯電話５１１とすることもできる。この場合、信頼された宣伝サーバ５０２は、ＳＭＳＣ５０６およびＰＬＭＮ５０８を介して携帯電話５１１に動作可能に結合され得る。この実施形態では、選択された広告は、パス５を使用して、信頼された宣伝サーバ５０２から直接、またはパス４を使用してＳＳＦ５０１を介して送信されて、知能の高い周辺／リソース機能からユーザへの一時的な音声パス（地上通信線または携帯）が存在するように、一時的な接続を確立する。
【００２８】
インターネットは、インターネットプロトコル（ＩＰ）を使用して互いに通信することができる、コンピュータおよびコンピュータネットワークの世界的なネットワークである。インターネットが作動できる理由の一つは、どのようにコンピュータとルータが互いに通信するかを管理するプロトコルである。コンピュータネットワーク通信の性質は、プロトコルスタックにおける個々のプロトコルが他のプロトコルから多少は独立して動作する階層的な手法に適している。これによって、上位のプロトコルの動作方法を変更せずに、下位のプロトコルを、ネットワーク状況に合わせてカスタマイズすることができる。
【００２９】
ネットワーク層では、インターネットプロトコルが論理的なアドレス指定に採用された状態で、いろいろなことが標準化される。ワールドワイドウェブでは、これらの「ＩＰアドレス」は、ドメイン名システムを使用して、人が読める形式から導出される。
【００３０】
トランスポート層では、ほとんどの通信は、伝送制御プロトコル（ＴＣＰ）またはユーザデータグラムプロトコル（ＵＤＰ）を採用する。送信されたすべてのメッセージが他のコンピュータによって受信されることが不可欠なときにＴＣＰが使用されるのに対して、ＵＤＰは、そのことが単に望ましいときに使用される。ＴＣＰでは、パケットは、失われた場合再送され、上位層に提示される前に順番に置かれる。ＵＤＰでは、パケットは、順序付けられない、また、失われた場合、再送されない。
【００３１】
トランスポート層の上には、時々使用され、セッション層およびプレゼンテーション層に緩く当てはまるいくつかのプロトコル、とりわけＳｅｃｕｒｅ  Ｓｏｃｋｅｔｓ  Ｌａｙｅｒ（ＳＳＬ）およびＴｒａｎｓｐｏｒｔ  Ｌａｙｅｒ  Ｓｅｃｕｒｉｔｙ（ＴＬＳ）プロトコルがある。これらのプロトコルは、２つのパーティ間に転送されたデータが完全に機密であることを確実にする。
【００３２】
本方法および装置による実施形態は、加入者の識別を明らかにする必要なく、ユーザ端末、特に携帯電話に対するターゲット広告をサポートするための新しいパラダイムを構成する。さらに、広告の量、こうした広告のタイミングなど個々の加入者の選好に、各携帯ユーザのプロファイルの一部として容易に対応することができる。最後に、広告は、加入者によって使用される特定の携帯ハンドセットの能力に合わせて最適化することができる。
【００３３】
プロファイルは、宣伝が受信され得る曜日、宣伝が受信され得る時刻または時間帯、受信され得る広告のタイプまたはカテゴリ、および受信され得る広告の量のうちの少なくとも１つを含み得る。プロファイルは、端末に関連する他のデータを含み得る。信頼された宣伝サーバは、信頼された役割および宣伝の役割を有し得る。信頼された役割は、少なくとも１つの端末の少なくとも１つのプロファイルを安全に維持するためのものとすることができる。宣伝の役割は、特定の広告主または宣伝ブローカーの対象の統計的データを受信すること、信頼されたデータベースにおけるそれぞれのプロファイルに基づいて広告を少なくとも１つの端末と一致させること、および信頼されたデータベースにおけるそれぞれのプロファイルに基づいて、選択された広告を少なくとも１つの端末に配信することであり得る。
【００３４】
図６は、本方法および装置による方法のフロー図を示す。この実施形態において、端末に関連付けられた発信または着信呼は、適用可能なｉＦＣにおいて信頼されたアプリケーションサーバ（ＴＡＳ）を含むＩＭＳセッション制御部、および適用可能なＩＮトリガ加入データにおいてＴＡＳをサービス制御機能（ＳＣＦ）として含むサービス交換機能部（ＳＳＦ）のうちの一方によって受信される（ステップ６０１）。ＩＭＳセッション制御部またはサービス交換機能部は、信頼された宣伝サーバと通信し（ステップ６０２）、これは次いで、端末のプロファイルをチェックし、信頼されたデータベースから抽出する（ステップ６０３）。信頼された宣伝サーバは、プロファイルに基づいて宣伝を選択し（ステップ６０４）、次いで１つまたは複数の選択された広告をユーザに提供する（ステップ６０５）。端末が音声端末であると決定された場合、または音声広告のみが選択された場合（条件が真）、音声選択での宣伝を信頼された宣伝サーバから端末に送信するための一時的な接続が確立される（ステップ６０６）。そうでない場合（条件が偽）、選択された宣伝が信頼された宣伝サーバから端末に直接送信される（ＳＭＳ、ＨＴＴＰ、ＳＩＰなどを介して）（ステップ６０７）。
【００３５】
図６によれば、端末が音声のみの端末である場合、またはユーザが（端末のタイプにかかわらず）音声広告のみを有することを選択した場合、一時的な接続が使用される（図５に関する上記の説明を参照）。そうでない場合、ＳＭＳを送信する、ＨＴＴＰ  ＰＵＴをラップトップに行うなど、他の選択肢がある。また、当然、ＩＭＳの場合、ＳＩＰが使用されてもよい。
【００３６】
本方法および装置による実施形態は、電話の呼に限定されない。本方法および装置の新しい特徴は、ＳＭＳ、ＷＡＰセッション、場所の変更などに適用され得る。
【００３７】
一例における本装置は、電子構成要素、ハードウェア構成要素、およびコンピュータソフトウェア構成要素のうちの１つまたは複数など、複数の構成要素を含み得る。いくつかのこうした構成要素は、装置において結合または分割されてもよい。
【００３８】
一例における本装置は、１つまたは複数のコンピュータ可読信号搬送媒体を使用してもよい。コンピュータ可読信号搬送媒体は、１つまたは複数の実施形態の１つまたは複数の部分を実行するためのソフトウェア、ファームウェア、および／またはアセンブリ言語を格納することができる。一例における装置のコンピュータ可読信号搬送媒体は、磁気、電気、光学、生物学的、および原子データ記憶媒体のうちの１つまたは複数を含み得る。例えば、コンピュータ可読信号搬送媒体は、フロッピー（登録商標）ディスク、磁気テープ、ＣＤ−ＲＯＭ、ＤＶＤ−ＲＯＭ、ハードディスクドライブ、および電子メモリを含み得る。別の例において、コンピュータ可読信号搬送媒体は、例えば、電話網、ローカルエリアネットワーク（「ＬＡＮ」）、広域ネットワーク（「ＷＡＮ」）、インターネット、および無線ネットワークのうちの１つまたは複数など、装置を含むまたは装置に結合されたネットワークを介して送信される変調された搬送信号を含み得る。
【００３９】
本明細書に記載されたステップまたは操作は、単なる例にすぎない。本発明の意図から逸脱することなく、これらのステップまたは操作の多くの変形があり得る。例えば、ステップは、異なる順序で実行されてもよく、またはステップは、追加、削除、または変更されてもよい。
【００４０】
本発明の実装例は、本明細書に詳細に示され、記載されているが、本発明の意図から逸脱することなく、様々な変更、追加、置換などを行うことができること、およびしたがってこれらは以下で定義される本発明の範囲内にあると考えられることは当業者には明らかである。
【図１】
2012504272.tif 000003
【図２】
2012504272.tif 000004
【図３】
2012504272.tif 000005
【図４】
2012504272.tif 000006
【図５】
2012504272.tif 000007
【図６】
2012504272.tif 000008
【国際調査報告】
2012504272.tif 000009
2012504272.tif 000010